(57)【要約】【課題】棚の傾斜により商品が前側に押し出される効果を維持しつつ、商品視認性の改善を図ったショーケースを提供する。【解決手段】ショーケースは、前面に開口する本体内に陳列室を構成し、この陳列室内に商品陳列用の棚４を架設して成るものであって、この棚４の載置面前部は水平面４Ａとされ、後部は奥方に高い傾斜面４Ｂとされている。水平面４Ａは略商品一つ分の奥行きとされている。ショーケースの陳列室の開口上縁から冷気を吐出し、下縁から吸い込むことにより、当該開口に冷気エアーカーテンを形成が形成される。【選択図】　　　図２
2004105526.tif 000002
【特許請求の範囲】
【請求項１】
前面に開口する本体内に陳列室を構成し、該陳列室内に商品陳列用の棚を架設して成るショーケースにおいて、
該棚の載置面前部は水平面とされ、後部は奥方に高い傾斜面とされていることを特徴とするショーケース。
【請求項２】
前記水平面は略前記商品一つ分の奥行きとされていることを特徴とする請求項１のショーケース。
【請求項３】
前記陳列室の開口上縁から冷気を吐出し、下縁から吸い込むことにより、当該開口に冷気エアーカーテンを形成することを特徴とする請求項１又は請求項２のショーケース。
【発明の詳細な説明】
【０００１】
【発明の属する技術分野】
本発明は、陳列室内に架設した棚の載置面上にペットボトル入りや缶入りの飲料などの商品を陳列して成るショーケースに関するものである。
【０００２】
【従来の技術】
従来よりスーパーマーケットやコンビニエンスストアなどの店舗には商品陳列用のショーケースが設置されている（例えば、特許文献１参照）。係る従来のショーケース１０１を、図３に基づいて説明すると、図中１０２はショーケースを構成する断熱壁から成る本体であり、内部に前面に開口する陳列室１０３が構成されている。この陳列室１０３内には商品陳列用の棚１０４が複数段架設されており、陳列室１０３の前面開口上縁には冷気吐出口１０６が、又、下縁には冷気吸込口１０７が形成されている。
【０００３】
前記各棚１０４・・はブラケット１０８によって奥方に高く所定の角度で傾斜したかたちで保持されており、その載置面（上面）は摩擦抵抗の小さい滑らかな滑りやすい表面処理が成されている。係る構成により、最前列の商品Ｇが取り出されると、その後方の商品Ｇ・・は傾斜による重力がその静止摩擦抵抗を超え、前方に押し出される構造とされている。従って、棚１０４上の最前列に常に商品Ｇが並ぶようにし、顧客に見易く、取り出し易くすることで販売効率の向上を図っている。また、商品Ｇを棚１０４上に補充する際にも前方から容易に出し入れ（先入れ・先出し管理）ができる利点もある。
【０００４】
尚、陳列室１０３背面の仕切板１０９と本体１０２間にはダクト１１１が構成され、このダクト１１１内には図示しない冷却器と送風機が配設される。ダクト１１１は冷気吐出口１０６及び冷気吸込口１０７と連通しており、冷却器と熱交換した冷気が送風機によりダクト１１１内を上昇し、冷気吐出口１０６から吐出され、冷気吸込口１０７から吸い込まれる。これにより、陳列室１０３の開口には冷気エアーカーテンが形成され、外気の侵入阻止が図れると共に、一部が陳列室１０３内に循環して商品Ｇ・・を冷却する。
【０００５】
【特許文献】
特開平６−１６５７２１号公報
【０００６】
【発明が解決しようとする課題】
しかしながら、係る構成によると、最前列の商品Ｇは棚１０４の傾斜分前側に倒れた状態となる。また、特に顧客の目線よりも低い位置のものでは、商品Ｇを上から見下ろすかたちとなるため、商品Ｇのキャップ部分ばかりが見えて前面のラベルが見難いと云う問題があった。また、最前列の商品Ｇが前側に倒れていることにより、付近を通過することによる冷気エアーカーテンが乱されてしまう欠点もあった。
【０００７】
本発明は、係る従来の技術的課題を解決するために成されたものであり、棚の傾斜により商品が前側に押し出される効果を維持しつつ、商品視認性の改善を図ったショーケースを提供するものである。
【０００８】
【課題を解決するための手段】
本発明のショーケースは、前面に開口する本体内に陳列室を構成し、この陳列室内に商品陳列用の棚を架設して成るものであって、この棚の載置面前部は水平面とされ、後部は奥方に高い傾斜面とされているものである。
【０００９】
本発明によれば、前面に開口する本体内に陳列室を構成し、この陳列室内に商品陳列用の棚を架設して成るショーケースにおいて、この棚の載置面前部を水平面とし、後部は奥方に高い傾斜面としているので、棚に載置された商品が傾斜により前側に押し出されるようにし、商品を取り出し易くすることができる。特に、前部は水平面とされているので、最前列の商品は直立状態となる。従って、当該商品のラベルなど前面の視認性も向上し、総じて販売効果の著しい改善が図れる。
【００１０】
請求項２の発明のショーケースは、上記において水平面は略商品一つ分の奥行きとされているものである。
【００１１】
請求項２の発明によれば、上記に加えて水平面は略商品一つ分の奥行きとされているので、棚の載置面上の最前列の商品のみを直立状態とすることができる。
これにより、後方の商品の底面が、水平面と傾斜面との境において浮いてしまう不都合も無くなり、安定的な陳列が可能となる。特に、棚から商品を加熱する場合には、当該加熱作用の確保を図ることも可能となる。
【００１２】
請求項３の発明のショーケースは、上記各発明において陳列室の開口上縁から冷気を吐出し、下縁から吸い込むことにより、当該開口に冷気エアーカーテンを形成するものである。
【００１３】
そして、前述の如く棚の最前列の商品が直立状態となるため、請求項３の如く貯蔵室の開口に冷気エアーカーテンを形成する場合には、当該エアーカーテンの乱れも最小限に抑えられるようになるものである。
【００１４】
【発明の実施の形態】
以下、図面に基づき本発明の実施形態を詳述する。図１は本発明を適用した実施例のショーケース１の縦断側面図、図２はショーケース１の棚４の側面図である。各図において、実施例のショーケース１は、スーパーマーケットやコンビニエンスストアなどの店舗に設置されてペットボトル飲料や缶飲料などの商品Ｇを陳列販売するためのオープンショーケースであり、図中２はショーケース１を構成する断熱壁から成る本体で、内部に前面に開口する陳列室３が構成されている。この陳列室３内には本発明の商品陳列用の棚４が複数段架設されており、陳列室３の前面開口上縁には冷気吐出口６が、又、下縁には冷気吸込口７が形成されている。
【００１５】
前記各棚４・・はブラケット８によってそれぞれ架設されているが、その載置面（上面）の前部は図２に示すように水平面４Ａとされ、それより後部は奥方に高く所定の角度（９度〜１０度）で傾斜した傾斜面４Ｂとされている。尚、図２において１０は棚４の前端に取り付けられて商品Ｇの脱落を防止するための棚ガードである。
【００１６】
上記水平面の奥行きは略１本分の商品Ｇの直径寸法分に見合った寸法とされている。即ち、通常のこの種ペットボトル飲料や缶飲料の直径は、小さいもので５３ｍｍ、大きいもので６９ｍｍ程である。そこで、ちょうど１本の商品Ｇが水平面４Ａに収まるようにその奥行き寸法は６７ｍｍ〜８０ｍｍ、実施例では７０ｍｍ±１ｍｍとされている。
【００１７】
また、各棚４の載置面（上面）は摩擦抵抗の小さい滑らかな滑りやすい表面処理が成されている。そして、係る構成により、最前列の商品Ｇは水平面４Ａにあって直立した状態となる。従って、その前面のラベルなどを視認し易くなる。また、当該最前列の商品Ｇが取り出されると、その後方の傾斜面４Ｂ上の商品Ｇ・・は傾斜による重力がその静止摩擦抵抗を超え、前方に押し出され、新たに最前列となるものは棚ガード１０に当接して停止し、直立状態となる。
【００１８】
従って、棚４上の最前列に常に商品Ｇが並ぶため、顧客には見易く、取り出し易くなり、販売効率の著しい向上が図れる。また、商品Ｇを棚１０４上に補充する際にも前方から容易に出し入れ（先入れ・先出し管理）ができる利点もある。
但し、棚４は前方に引き出し可能にブラケット８に保持されている。そして、商品補充時には棚４を引き出して行うことが可能とされている。
【００１９】
また、前述の如く水平面４Ａの奥行きは略商品一つ分とされているので、図２に示すように、水平面４Ａには一列の商品Ｇのみが直立し、その後方の商品Ｇの底面が水平面４Ａと傾斜面４Ｂの境目の曲げ部４Ｃにかからなる。従って、前から２列目の商品Ｇの底面が棚４から浮いてしまう不都合を回避し、安定陳列が可能となる。特に、棚４に加熱用のヒータを取り付けて商品Ｇを加熱する場合に、加温作用が損なわれることが無くなる。
【００２０】
尚、陳列室３背面の仕切板９と本体２間にはダクト１１が構成され、このダクト１１内には図示しない冷却器と送風機が配設される。ダクト１１は冷気吐出口６及び冷気吸込口７と連通しており、冷却器と熱交換した冷気が送風機によりダクト１１内を上昇し、冷気吐出口６から吐出され、冷気吸込口７から吸い込まれる。これにより、陳列室３の前面開口には冷気エアーカーテンが形成され、外気の侵入阻止が図れると共に、一部が陳列室３内に循環して商品Ｇ・・を冷却する。
【００２１】
ここで、上記冷気エアーカーテンを構成する冷気は最前列の商品Ｇの近傍を通過することになるが、この場合、最前列の商品Ｇは上述の如く直立状態となっているので、従来の如く前倒しに傾斜しているものに比して冷気エアーカーテンが乱される不都合が抑制され、冷却効果も改善される。
【００２２】
【発明の効果】
以上上述した如く本発明によれば、前面に開口する本体内に陳列室を構成し、この陳列室内に商品陳列用の棚を架設して成るショーケースにおいて、この棚の載置面前部を水平面とし、後部は奥方に高い傾斜面としているので、棚に載置された商品が傾斜により前側に押し出されるようにし、商品を取り出し易くすることができる。特に、前部は水平面とされているので、最前列の商品は直立状態となる。従って、当該商品のラベルなど前面の視認性も向上し、総じて販売効果の著しい改善が図れる。
【００２３】
また、請求項２の発明によれば、上記に加えて水平面は略商品一つ分の奥行きとされているので、棚の載置面上の最前列の商品のみを直立状態とすることができる。これにより、後方の商品の底面が、水平面と傾斜面との境において浮いてしまう不都合も無くなり、安定的な陳列が可能となる。特に、棚から商品を加熱する場合には、当該加熱作用の確保を図ることも可能となる。
【００２４】
そして、前述の如く棚の最前列の商品が直立状態となるため、請求項３の如く貯蔵室の開口に冷気エアーカーテンを形成する場合には、当該エアーカーテンの乱れも最小限に抑えられるようになるものである。
【図面の簡単な説明】
【図１】本発明の実施例のショーケースの縦断側面図である。
【図２】図１のショーケースの棚の側面図である。
【図３】従来のショーケースの縦断側面図である。
【符号の説明】
１　ショーケース
２　本体
３　陳列室
４　棚
４Ａ　水平面
４Ｂ　傾斜面
Ｇ　商品
【図１】
2004105526.tif 000003
【図２】
2004105526.tif 000004
【図３】
2004105526.tif 000005